(57)【要約】【課題】被測定装置の通信回線レベルを容易に測定することができるレベル測定コードおよび通信回線レベル測定方法を提供する。【解決手段】レベル測定コード１０は、４極プラグ２０と、第１乃至第４の連動スイッチ４１〜４４を備えたスイッチ部４０と、第１乃至第３の２極プラグ６１〜６３とを具備する。第１乃至第４の連動スイッチ４１〜４４の第１のスイッチ４１ａ，４２ａ，４３ａ，４４ａは４極プラグ２０の第１の回線側差込片２２L1と第１の装置側差込片２２D1との間に、第２のスイッチ４１ｂ，４２ｂ，４３ｂ，４４ｂは４極プラグ２０の第２の回線側差込片２２L2と第４の差込片２２D2との間に直列接続されている。第１の２極プラグ６１は第１および第２の連動スイッチ４１，４２の間に、第２の２極プラグ６２は第２および第３の連動スイッチ４２，４３の間に、第３の２極プラグ６３は第３および第４の連動スイッチ４３，４４の間に接続されている。【選択図】図１
2014099307.tif 000002
【特許請求の範囲】
【請求項１】
送信側および受信側Ｕリンク（８０，９０）が送信側および受信側ソケット部にそれぞれ装着される被測定装置（１）に用いるためのレベル測定コード（１０）であって、
第１乃至第４の差込片（２２L1，２２L2，２２D1，２２D2）を備えた、かつ、前記レベル測定コードを前記被測定装置の前記送信側および受信側Ｕリンクまたは前記送信側および受信側ソケット部に接続するための４極プラグ（２０）と、
第１乃至第４の連動スイッチ（４１〜４４）を備えたスイッチ部（４０）と、
前記レベル測定コードを測定装置に接続するための第１乃至第３の２極プラグ（６１〜６３）とを具備し、
前記第１の連動スイッチ（４１）が、連動してオン／オフされる第１および第２のスイッチ（４１ａ，４１ｂ）を備え、
前記第２の連動スイッチ（４２）が、連動してオン／オフされる第１および第２の他のスイッチ（４２ａ，４２ｂ）を備え、
前記第３の連動スイッチ（４３）が、連動してオン／オフされる第１および第２の別のスイッチ（４３ａ，４３ｂ）を備え、
前記第４の連動スイッチ（４４）が、連動してオン／オフされる第１および第２の更に別のスイッチ（４４ａ，４４ｂ）を備え、
前記第１のスイッチ（４１ａ）、前記第１の他のスイッチ（４２ａ）、前記第１の別のスイッチ（４３ａ）および前記第１の更に別のスイッチ（４４ａ）が、前記第１の差込片（２２L1）と前記第３の差込片（２２D1）との間に直列に接続されており、
前記第２のスイッチ（４１ｂ）、前記第２の他のスイッチ（４２ｂ）、前記第２の別のスイッチ（４３ｂ）および前記第２の更に別のスイッチ（４４ｂ）が、前記第２の差込片（２２L2）と前記第４の差込片（２２D2）との間に直列に接続されており、
前記第１の２極プラグ（６１）が、前記第１のスイッチ（４１ａ）と前記第１の他のスイッチ（４２ａ）との接続点および前記第２のスイッチ（４１ｂ）と前記第２の他のスイッチ（４２ｂ）との接続点に接続されており、
前記第２の２極プラグ（６２）が、前記第１の他のスイッチ（４２ａ）と前記第１の別のスイッチ（４３ａ）との接続点および前記第２の他のスイッチ（４２ｂ）と前記第２の別のスイッチ（４３ｂ）との接続点に接続されており、
前記第３の２極プラグ（６３）が、前記第１の別のスイッチ（４３ａ）と前記第１の更に別のスイッチ（４４ａ）との接続点および前記第２の別のスイッチ（４３ｂ）と前記第２の更に別のスイッチ（４４ｂ）との接続点に接続されている、
ことを特徴とする、レベル測定コード。
【請求項２】
前記４極プラグ（２０）が、一方の側面に“上”および“下”の文字が記された矩形体状のプラグ筺体（２１）をさらに備え、
前記第１および第２の差込片（２２L1，２２L2）が、前記プラグ筺体（２１）の前面の上部に並設されており、
前記第３および第４の差込片（２２D1，２２D2）が、前記プラグ筺体（２１）の前面の下部に並設されている、
ことを特徴とする、請求項１記載のレベル測定コード。
【請求項３】
前記第１乃至第３の２極プラグ（６１〜６３）の本体の一方の側面に、該第１乃至第３の２極プラグを区別するための識別記号がそれぞれ記されているとともに、該第１乃至第３の２極プラグの左右を区別するための複数本の溝が形成されていることを特徴とする、請求項１または２記載のレベル測定コード。
【請求項４】
送信側および受信側Ｕリンク（８０，９０）が送信側および受信側ソケット部にそれぞれ装着される被測定装置（１）に用いるためのレベル測定コード（１０）であって、
第１乃至第４の差込片（２２L1，２２L2，２２D1，２２D2）を備えた、かつ、前記レベル測定コードを前記被測定装置の前記送信側および受信側Ｕリンクまたは前記送信側および受信側ソケット部に接続するための４極プラグ（２０）と、
第１乃至第３の連動スイッチ（４１〜４３）を備えたスイッチ部（４０）と、
前記レベル測定コードを測定装置に接続するための第１乃至第３の２極プラグ（６１〜６３）とを具備し、
前記第１の連動スイッチ（４１）が、連動してオン／オフされる第１および第２のスイッチ（４１ａ，４１ｂ）を備え、
前記第２の連動スイッチ（４２）が、連動してオン／オフされる第１および第２の他のスイッチ（４２ａ，４２ｂ）を備え、
前記第３の連動スイッチ（４３）が、連動してオン／オフされる第１および第２の別のスイッチ（４３ａ，４３ｂ）を備え、
前記第１のスイッチ（４１ａ）、前記第１の他のスイッチ（４２ａ）および前記第１の別のスイッチ（４３ａ）が、前記第１の差込片（２２L1）と前記第３の差込片（２２D1）との間に直列に接続されており、
前記第２のスイッチ（４１ｂ）、前記第２の他のスイッチ（４２ｂ）および前記第２の別のスイッチ（４３ｂ）が、前記第２の差込片（２２L2）と前記第４の差込片（２２D2）との間に直列に接続されており、
前記第１の２極プラグ（６１）が、前記第１のスイッチ（４１ａ）と前記第１の他のスイッチ（４２ａ）との接続点および前記第２のスイッチ（４１ｂ）と前記第２の他のスイッチ（４２ｂ）との接続点に接続されており、
前記第２の２極プラグ（６２）が、前記第１の他のスイッチ（４２ａ）と前記第１の別のスイッチ（４３ａ）との接続点および前記第２の他のスイッチ（４２ｂ）と前記第２の別のスイッチ（４３ｂ）との接続点に接続されており、
前記第３の２極プラグ（６３）が、前記第１の別のスイッチ（４３ａ）と前記第３の差込片（２２D1）との接続点および前記第２の別のスイッチ（４３ｂ）と前記第４の差込片（２２D2）との接続点に接続されている、
ことを特徴とする、レベル測定コード。
【請求項５】
請求項１乃至４いずれかに記載のレベル測定コードを用いて前記被測定装置（１）と可変抵抗減衰器（４）およびレベル計（５）とを接続して該被測定装置（１）の送受信レベルおよび受信回線断マージンを測定することを特徴とする、通信回線レベル測定方法。
【発明の詳細な説明】
【技術分野】
【０００１】
本発明は、遠隔監視制御装置（ＴＣ）および情報伝送装置（ＣＤＴ）などの点検で通信回線レベルを測定する際に使用するのに好適なレベル測定コードおよび通信回線レベル測定方法に関する。
【背景技術】
【０００２】
図７（ａ）に示すように、遠隔監視制御装置および情報伝送装置などの被測定装置１（被測定装置）には、通信回線の試験や切離しなどに使用するために、送信側および受信側Ｕリンク８０，９０が被測定装置１の送信側および受信側ソケット部にそれぞれ装着されている。
【０００３】
送信側Ｕリンク８０は、図７（ｂ）に図示左から正面図、右側面図および背面図で示すように、中空の直方体形状の送信側本体８１と、送信側本体８１の前面の上部に並設された、かつ、通常時は被測定装置１の送信側ソケット部の第１および第２の送信回線側差込口２L1，２L2（図８（ｂ）参照）にそれぞれ差し込まれる第１および第２の送信回線側差込片８２L1，８２L2と、送信側本体８１の前面の下部に並設された、かつ、通常時は被測定装置１の送信側ソケット部の第１および第２の送信装置側差込口２D1，２D2（図８（ｂ）参照）にそれぞれ差し込まれる第１および第２の送信装置側差込片８２D1，８２D2と、送信側本体８１の後面の中央部に並設された、かつ、測定コード６（２極プラグ）の第１および第２の差込片７1，７2（図８（ａ）参照。同図には図示していないが、第１の差込片７1は第２の差込片７2の奥に設けられている。）がそれぞれ差し込まれる第１および第２の送信側差込口８３1，８３2とを備える。
また、送信側本体８１内には、第１の送信回線側差込片８２L1および第１の送信装置側差込片８２D1と電気的に接続された、かつ、第１の送信側差込口８３1に差し込まれた測定コード６の第１の差込片７1を受容可能な第１の送信側差込受片８４1（図７（ｂ）には図示していないが、第２の送信側差込受片８４2の奥に設けられている）と、第２の送信回線側差込片８２L2および第２の送信装置側差込片８２D2と電気的に接続された、かつ、第２の測定プラグ差込口８３2に差し込まれた測定コード６の第２の差込片７2を受容可能な第２の送信側差込受片８４2とが設けられている。
【０００４】
同様に、受信側Ｕリンク９０は、図７（ｃ）に図示左から正面図、右側面図および背面図で示すように、中空の直方体形状の受信側本体９１と、受信側本体９１の前面の上部に並設された、かつ、通常時は被測定装置１の受信側ソケット部の第１および第２の受信回線側差込口３L1，３L2（図８（ｄ）参照）にそれぞれ差し込まれる第１および第２の受信回線側差込片９２L1，９２L2と、受信側本体９１の前面の下部に並設された、かつ、通常時は被測定装置１の受信側ソケット部の第１および第２の受信装置側差込口３D1，３D2（図８（ｄ）参照）にそれぞれ差し込まれる第１および第２の受信装置側差込片９２D1，９２D2と、受信側本体９１の後面の中央部に並設された、かつ、測定コード６の第１および第２の差込片７1，７2がそれぞれ差し込まれる第１および第２の受信側差込口９３1，９３2とを備える。
また、受信側本体９１内には、第１の受信回線側差込片９２L1および第１の受信装置側差込片９２D1と電気的に接続された、かつ、第１の受信側差込口９３1に差し込まれた測定コード６の第１の差込片７1を受容可能な第１の受信側差込受片９４1（図７（ｃ）には図示していないが、第２の受信側差込受片９４2の奥に設けられている。）と、第２の受信回線側差込片９２L2および第２の受信装置側差込片９２D2と電気的に接続された、かつ、第２の受信側差込口９３2に差し込まれた測定コード６の第２の差込片７2を受容可能な第２の受信側差込受片９４2とが設けられている。
【０００５】
従来、回線を停止させないで被測定装置１の送信レベルを測定する場合には、図８（ａ）に示すように、送信側Ｕリンク８０を被測定装置１に装着した状態で、レベル計（ＬＭ）５の入力インピーダンスをハイ（Ｈｉｇｈ）にして、測定コード６の第１および第２の差込片７1，７2（同図には図示していないが、第１の差込片７1は第２の差込片７2の奥に設けられている。）を送信側Ｕリンク８０の第１および第２の送信側差込口８３1，８３2にそれぞれ差し込んで被測定装置１とレベル計５とを電気的に接続してレベル測定を行っている。
同様に、回線を停止させないで被測定装置１の受信レベルを測定する場合には、図８（ｃ）に示すように、受信側Ｕリンク９０を被測定装置１に装着した状態で、レベル計５の入力インピーダンスをハイにして、測定コード６の第１および第２の差込片７1，７2を受信側Ｕリンク９０の第１および第２の受信側差込口９３1，９３2にそれぞれ差し込んで被測定装置１とレベル計５とを電気的に接続してレベル測定を行っている。
【０００６】
また、回線を停止させて被測定装置１の送信レベルを測定する場合には、図８（ｂ）に示すように、送信側Ｕリンク８０を被測定装置１から引き抜き、レベル計５の入力インピーダンスをロウ（Ｌｏｗ）にして、測定コード６の第１および第２の差込片７1，７2を被測定装置１の送信側ソケット部の第１および第２の送信装置側差込口２D1，２D2にそれぞれ差し込んでレベル測定を行っている。
同様に、回線を停止させて被測定装置１の受信レベルを測定する場合には、図８（ｄ）に示すように、受信側Ｕリンク９０を被測定装置１から引き抜き、レベル計５の入力インピーダンスをロウにして、測定コード６の第１および第２の差込片７1，７2を被測定装置１の受信側ソケット部の第１および第２の受信回線側差込口３L1，３L2にそれぞれ差し込んでレベル測定を行っている。
【０００７】
さらに、被測定装置１の受信回線断マージンを測定する際には、図９に示すように、受信側Ｕリンク９０を被測定装置１から引き抜き、レベル計５の入力インピーダンスをハイにして、第１の測定コード６1（２極プラグ）の第１および第２の差込片７11，７12（同図には図示していないが、第１の差込片７11は第２の差込片７12の奥に設けられている。）を被測定装置１の受信側ソケット部の第１および第２の受信回線側差込口３L1，３L2にそれぞれ挿入して被測定装置１の受信回線側端子と減衰量が０ｄＢとされた可変抵抗減衰器４の入力回路とを接続し、第２の測定コード６2（２極プラグ）の第１および第２の差込片７21，７22（同図には図示していないが、第１の差込片７21は第２の差込片７22の奥に設けられている。）を被測定装置１の受信側ソケット部の第１および第２の受信装置側差込口３D1，３D2にそれぞれ挿入して被測定装置１の受信装置側端子と可変抵抗減衰器（ＡＴＴ）４の出力回路とを接続するとともに、第３の測定コード６3（２極プラグ）を可変抵抗減衰器（ＡＴＴ）４の出力回路へ第２の測定コード６2と並列接続し、被測定装置１および可変抵抗減衰器４とレベル計５が接続された状態としたのち、可変抵抗減衰器４の可変抵抗挿入により見かけ上の受信レベルを徐々に下げていって回線断となるレベルを検出し、このときのレベルをレベル計５で測定している。
【０００８】
このように、受信回線断マージンを測定する際には３本の測定コード（第１乃至第３の測定コード６1〜６3）を用いて可変抵抗減衰器４およびレベル計５を被測定装置１に接続しているために第１乃至第３の測定コード６1〜６3が絡んだり第１乃至第３の測定コード６1〜６3のプラグ部分が抜けたりするので、受信回線断マージンを測定するのに手間が掛っている。
【０００９】
このような問題の解決手法として、本出願人は、下記の特許文献１において、アナログ回線の通信装置などに使用されるＵリンクに対して、回線側および機器側の各２端子のプラグと、その間を外部から差込み棒などの挿入・引き抜きにより開閉する開閉手段と、２端子の一方に接続した測定用ソケット手段とを設けて、差込み棒を有する測定用プラグの差込み棒の長さの設定によって開閉手段の開閉状態を制御するようにした通信回線用Ｕリンクなどを提案している。
【００１０】
また、下記の特許文献２には、接続コードに可変抵抗減衰器を内蔵させ、通信機器の測定時に通信機器内の減衰器を何ら操作することなく接続コード側の可変抵抗減衰器によってのみ所望のレベル調整を可能とした通信機測定用接続コードが開示されている。
【先行技術文献】
【特許文献】
【００１１】
【特許文献１】特開２００８−１８６６５２号公報
【特許文献２】実開平４−１０５４１６号公報
【発明の概要】
【発明が解決しようとする課題】
【００１２】
しかしながら、上記の特許文献１で提案した通信回線用Ｕリンクでは、遠隔監視制御装置受信部の接続プラグ（Ｕリンク）を引き抜かなくても測定コード先端のプラグ挿入状態によって通信回線が接続・開放状態となることにより、送受信レベルをハイまたはロウ・インピーダンスにより測定することはできるが、複数の測定器（可変抵抗減衰器およびレベル計）を使用する受信回線断レベルの測定には適用することができないという問題がある。
また、上記の特許文献２に開示された通信機測定用接続コードでは、接続コードに２組の可変抵抗減衰器と切替スイッチとを内蔵させる必要があるため、接続コードが大きくなるという問題がある。
【００１３】
本発明の目的は、被測定装置の通信回線レベルを容易に測定することができるレベル測定コードおよび通信回線レベル測定方法を提供することにある。
【課題を解決するための手段】
【００１４】
本発明の第１のレベル測定コードは、送信側および受信側Ｕリンク（８０，９０）が送信側および受信側ソケット部にそれぞれ装着される被測定装置（１）に用いるためのレベル測定コード（１０）であって、第１乃至第４の差込片（２２L1，２２L2，２２D1，２２D2）を備えた、かつ、前記レベル測定コードを前記被測定装置の前記送信側および受信側Ｕリンクまたは前記送信側および受信側ソケット部に接続するための４極プラグ（２０）と、第１乃至第４の連動スイッチ（４１〜４４）を備えたスイッチ部（４０）と、前記レベル測定コードを測定装置に接続するための第１乃至第３の２極プラグ（６１〜６３）とを具備し、前記第１の連動スイッチ（４１）が、連動してオン／オフされる第１および第２のスイッチ（４１ａ，４１ｂ）を備え、前記第２の連動スイッチ（４２）が、連動してオン／オフされる第１および第２の他のスイッチ（４２ａ，４２ｂ）を備え、前記第３の連動スイッチ（４３）が、連動してオン／オフされる第１および第２の別のスイッチ（４３ａ，４３ｂ）を備え、前記第４の連動スイッチ（４４）が、連動してオン／オフされる第１および第２の更に別のスイッチ（４４ａ，４４ｂ）を備え、前記第１のスイッチ（４１ａ）、前記第１の他のスイッチ（４２ａ）、前記第１の別のスイッチ（４３ａ）および前記第１の更に別のスイッチ（４４ａ）が、前記第１の差込片（２２L1）と前記第３の差込片（２２D1）との間に直列に接続されており、前記第２のスイッチ（４１ｂ）、前記第２の他のスイッチ（４２ｂ）、前記第２の別のスイッチ（４３ｂ）および前記第２の更に別のスイッチ（４４ｂ）が、前記第２の差込片（２２L2）と前記第４の差込片（２２D2）との間に直列に接続されており、前記第１の２極プラグ（６１）が、前記第１のスイッチ（４１ａ）と前記第１の他のスイッチ（４２ａ）との接続点および前記第２のスイッチ（４１ｂ）と前記第２の他のスイッチ（４２ｂ）との接続点に接続されており、前記第２の２極プラグ（６２）が、前記第１の他のスイッチ（４２ａ）と前記第１の別のスイッチ（４３ａ）との接続点および前記第２の他のスイッチ（４２ｂ）と前記第２の別のスイッチ（４３ｂ）との接続点に接続されており、前記第３の２極プラグ（６３）が、前記第１の別のスイッチ（４３ａ）と前記第１の更に別のスイッチ（４４ａ）との接続点および前記第２の別のスイッチ（４３ｂ）と前記第２の更に別のスイッチ（４４ｂ）との接続点に接続されていることを特徴とする。
ここで、前記４極プラグ（２０）が、一方の側面に“上”および“下”の文字が記された矩形体状のプラグ筺体（２１）をさらに備え、前記第１および第２の差込片（２２L1，２２L2）が、前記プラグ筺体（２１）の前面の上部に並設されており、前記第３および第４の差込片（２２D1，２２D2）が、前記プラグ筺体（２１）の前面の下部に並設されている。
前記第１乃至第３の２極プラグ（６１〜６３）の本体の一方の側面に、該第１乃至第３の２極プラグを区別するための識別記号がそれぞれ記されているとともに、該第１乃至第３の２極プラグの左右を区別するための複数本の溝が形成されている。
本発明の第２のレベル測定コードは、送信側および受信側Ｕリンク（８０，９０）が送信側および受信側ソケット部にそれぞれ装着される被測定装置（１）に用いるためのレベル測定コード（１０）であって、第１乃至第４の差込片（２２L1，２２L2，２２D1，２２D2）を備えた、かつ、前記レベル測定コードを前記被測定装置の前記送信側および受信側Ｕリンクまたは前記送信側および受信側ソケット部に接続するための４極プラグ（２０）と、第１乃至第３の連動スイッチ（４１〜４３）を備えたスイッチ部（４０）と、前記レベル測定コードを測定装置に接続するための第１乃至第３の２極プラグ（６１〜６３）とを具備し、前記第１の連動スイッチ（４１）が、連動してオン／オフされる第１および第２のスイッチ（４１ａ，４１ｂ）を備え、前記第２の連動スイッチ（４２）が、連動してオン／オフされる第１および第２の他のスイッチ（４２ａ，４２ｂ）を備え、前記第３の連動スイッチ（４３）が、連動してオン／オフされる第１および第２の別のスイッチ（４３ａ，４３ｂ）を備え、前記第１のスイッチ（４１ａ）、前記第１の他のスイッチ（４２ａ）および前記第１の別のスイッチ（４３ａ）が、前記第１の差込片（２２L1）と前記第３の差込片（２２D1）との間に直列に接続されており、前記第２のスイッチ（４１ｂ）、前記第２の他のスイッチ（４２ｂ）および前記第２の別のスイッチ（４３ｂ）が、前記第２の差込片（２２L2）と前記第４の差込片（２２D2）との間に直列に接続されており、前記第１の２極プラグ（６１）が、前記第１のスイッチ（４１ａ）と前記第１の他のスイッチ（４２ａ）との接続点および前記第２のスイッチ（４１ｂ）と前記第２の他のスイッチ（４２ｂ）との接続点に接続されており、前記第２の２極プラグ（６２）が、前記第１の他のスイッチ（４２ａ）と前記第１の別のスイッチ（４３ａ）との接続点および前記第２の他のスイッチ（４２ｂ）と前記第２の別のスイッチ（４３ｂ）との接続点に接続されており、前記第３の２極プラグ（６３）が、前記第１の別のスイッチ（４３ａ）と前記第３の差込片（２２D1）との接続点および前記第２の別のスイッチ（４３ｂ）と前記第４の差込片（２２D2）との接続点に接続されていることを特徴とする。
本発明の通信回線レベル測定方法は、本発明の第１または第２のレベル測定コードを用いて前記被測定装置（１）と可変抵抗減衰器（４）およびレベル計（５）とを接続して、該被測定装置（１）の送受信レベルおよび受信回線断マージンを測定することを特徴とする。
【発明の効果】
【００１５】
本発明のレベル測定コードおよび通信回線レベル測定方法は以下に示す効果を奏する。
（１）１本のレベル測定コードを用いて被測定装置の通信回線レベルを測定することができる。
（２）複数の測定器（可変抵抗減衰器およびレベル計）を使用する受信回線断レベルの測定においてもコードが絡んだりコードのプラグ部分が抜け落ちたりしなくすることができるため、受信回線断レベルを容易に測定することができる。
（３）コードが絡んだりコードのプラグ部分が抜け落ちたりしなくすることができるため、測定準備の手間が省けるので、トータルの測定時間を短縮することができる。
【図面の簡単な説明】
【００１６】
【図１】本発明の一実施例によるレベル測定コード１０について説明するための図であり、（ａ）はレベル測定コード１０の構成を示すための上面図であり、（ｂ）はレベル測定コード１０内の電気的接続を示すための図である。
【図２】図１に示した４極プラグ２０並びに第１乃至第３の２極プラグ６１〜６３の構成を示す図であり、（ａ）は４極プラグ２０の右側面図であり、（ｂ）は第１の２極プラグ６１の右側面図である。
【図３】図１に示したレベル測定コード１０を用いて被測定装置１の送信レベルを測定する方法について説明するための図であり、（ａ）は回線を停止させずに送信レベルを測定する方法について説明するための図であり、（ｂ）は回線を停止させて送信レベルを測定する方法について説明するための図である。
【図４】図１に示したレベル測定コード１０を用いて被測定装置１の受信レベルを測定する方法について説明するための図であり、（ａ）は回線を停止させずに受信レベルを測定する方法について説明するための図であり、（ｂ）は回線を停止させて受信レベルを測定する方法について説明するための図である。
【図５】図１に示したレベル測定コード１０を用いて被測定装置１の受信回線断レベルを測定する方法について説明するための図である。
【図６】図１に示したレベル測定コード１０を２本用いて被測定装置１の対向試験を行う方法について説明するための図である。
【図７】被測定装置１に装着されている送信側Ｕリンク８０および受信側Ｕリンク９０について説明するための図であり、（ａ）は送信側Ｕリンク８０および受信側Ｕリンク９０が装着された状態の被測定装置１を示す正面図であり、（ｂ）は送信側Ｕリンク８０の正面図、右側面図および背面図であり、（ｃ）は受信側Ｕリンク９０の正面図、右側面図および背面図である。
【図８】従来の被測定装置１の点検における送信レベルおよび受信レベルの測定方法について説明するための図であり、（ａ）および（ｂ）は送信レベルの測定方法を示す図であり、（ｃ）および（ｄ）は受信レベルの測定方法を示す図である。
【図９】従来の被測定装置１の点検における受信回線断マージンの測定方法について説明するための図である。
【発明を実施するための形態】
【００１７】
上記の目的を、４極プラグと第１乃至第３の２極プラグとを直列接続された第１乃至第４の連動スイッチを介して接続する切替スイッチ付一体型コードとしてレベル測定コードを構成することにより実現した。
【実施例１】
【００１８】
以下、本発明のレベル測定コードおよび通信回線レベル測定方法の実施例について図面を参照して説明する。
本発明のレベル測定コードは、図９に示した第１乃至第３の測定コード６1〜６3を第１乃至第４の連動スイッチ４１〜４４を内蔵した切替スイッチ付一体型コードとすることにより通信回線レベル（送受信レベルおよび受信回線断マージン）の測定を効率的に行えるようにするとともに、装置側挿入プラグを送信側Ｕリンク８０および受信側Ｕリンク９０と同じ４極プラグとすることにより簡単かつ容易に抜けにくい状態で被測定装置１の第１および第２の送信回線側差込口２L1，２L2，第１および第２の送信装置側差込口２D1，２D2，第１および第２の受信回線側差込口３L1，３L2並びに第１および第２の受信装置側差込口３D1，３D2や送信側Ｕリンク８０の第１および第２の送信側差込口８３1，８３2並びに受信側Ｕリンク９０の第１および第２の受信側差込口９３1，９３2に挿入できるようにしたことを特徴とする。
【００１９】
そのため、本発明の一実施例によるレベル測定コード１０は、図１（ａ），（ｂ）に示すように、４極プラグ２０と、４極プラグ２０と装置側接続コード部３０を介して接続されたスイッチ部４０と、スイッチ部４０と第１乃至第３のコード部５１〜５３を介してそれぞれ接続された第１乃至第３の２極プラグ６１〜６３とを具備する。
【００２０】
ここで、４極プラグ２０は、矩形体状のプラグ筺体２１と、プラグ筺体２１の前面の上部に並設された第１および第２の回線側差込片２２L1，２２L2と、プラグ筺体２１の前面の下部に並設された第１および第２の装置側差込片２２D1，２２D2とを備える。
また、４極プラグ２０は上下対称のため、図２（ａ）に示すように、上下が分かるようにプラグ筺体２１の右側面には“上”および“下”の文字が記されている。
【００２１】
装置側接続コード部３０は、一端が４極プラグ２０の第１および第２の回線側差込片２２L1，２２L2並びに第１および第２の装置側差込片２２D1，２２D2にそれぞれ接続された第１乃至第４の接続線３１〜３４を備える。
【００２２】
スイッチ部４０は、直方体状のスイッチ筺体４５と、ボタンがスイッチ筺体４５の上面に取り付けられた第１乃至第４の連動スイッチ４１〜４４とを備える。なお、図示していないが、第１乃至第４の連動スイッチ４１〜４４のボタンには第１乃至第４の連動スイッチ４１〜４４を区別するための数字“１”〜“４”がそれぞれ記されている。
第１の連動スイッチ４１は、連動してオン／オフされる第１および第２のスイッチ４１ａ，４１ｂを備える。第１の連動スイッチ４１の第１のスイッチ４１ａの一方の接点は第１の接続線３１の他端と接続されており、第１の連動スイッチ４１の第２のスイッチ４１ｂの一方の接点は第２の接続線３２の他端と接続されている。
第２の連動スイッチ４２は、連動してオン／オフされる第１および第２のスイッチ４２ａ，４２ｂを備える。第２の連動スイッチ４２の第１のスイッチ４２ａの一方の接点は第１の連動スイッチ４１の第１のスイッチ４１ａの他方の接点と接続されており、第２の連動スイッチ４２の第２のスイッチ４２ｂの一方の接点は第１の連動スイッチ４１の第２のスイッチ４１ｂの他方の接点と接続されている。
第３の連動スイッチ４３は、連動してオン／オフされる第１および第２のスイッチ４３ａ，４３ｂを備える。第３の連動スイッチ４３の第１のスイッチ４３ａの一方の接点は第２の連動スイッチ４２の第１のスイッチ４２ａの他方の接点と接続されており、第３の連動スイッチ４３の第２のスイッチ４３ｂの一方の接点は第２の連動スイッチ４２の第２のスイッチ４２ｂの他方の接点と接続されている。
第４の連動スイッチ４４は、連動してオン／オフされる第１および第２のスイッチ４４ａ，４４ｂを備える。第４の連動スイッチ４４の第１のスイッチ４４ａの一方の接点は第３の連動スイッチ４３の第１のスイッチ４３ａの他方の接点と接続されており、第４の連動スイッチ４４の第１のスイッチ４４ａの他方の接点は第３の接続線３３の他端と接続されている。また、第４の連動スイッチ４４の第２のスイッチ４４ｂの一方の接点は第３の連動スイッチ４３の第２のスイッチ４３ｂの他方の接点と接続されており、第４の連動スイッチ４４の第２のスイッチ４４ｂの他方の接点は第４の接続線３４の他端と接続されている。
【００２３】
第１の接続コード部５１は、一端が第１の連動スイッチ４１の第１のスイッチ４１ａと第２の連動スイッチ４２の第１のスイッチ４２ａとを接続する接続線に接続されるとともに他端が第１の２極プラグ６１に接続された第１のコード接続線５１1と、一端が第１の連動スイッチ４１の第２のスイッチ４１ｂと第２の連動スイッチ４２の第２のスイッチ４２ｂとを接続する接続線に接続されるとともに他端が第１の２極プラグ６１に接続された第２のコード接続線５１2とを備える。
第２の接続コード部５２は、一端が第２の連動スイッチ４２の第１のスイッチ４２ａと第３の連動スイッチ４３の第１のスイッチ４３ａとを接続する接続線に接続されるとともに他端が第２の２極プラグ６２に接続された第１のコード接続線５２1と、一端が第２の連動スイッチ４２の第２のスイッチ４２ｂと第３の連動スイッチ４３の第２のスイッチ４３ｂとを接続する接続線に接続されるとともに他端が第２の２極プラグ６２に接続された第２のコード接続線５２2とを備える。
第３の接続コード部５３は、一端が第３の連動スイッチ４３の第１のスイッチ４３ａと第４の連動スイッチ４４の第１のスイッチ４４ａとを接続する接続線に接続されるとともに他端が第３の２極プラグ６３に接続された第１のコード接続線５３1と、一端が第３の連動スイッチ４３の第２のスイッチ４３ｂと第４の連動スイッチ４４の第２のスイッチ４４ｂとを接続する接続線に接続されるとともに他端が第３の２極プラグ６３に接続された第２のコード接続線５３2とを備える。
【００２４】
第１乃至第３の２極プラグ６１〜６３の本体の右側面には、図２（ｂ）に第１の２極プラグ６１について示すように、第１乃至第３の２極プラグ６１〜６３を区別するための数字“１”、“２”および“３”がそれぞれ記されている。
また、第１乃至第３の２極プラグ６１〜６３は左右対称のため、図２（ｂ）に第１の２極プラグ６１について示すように、左右が分かるように第１乃至第３の２極プラグ６１〜６３の本体の右側面には３本の溝が形成されている。
【００２５】
次に、本実施例によるレベル測定コード１０を用いて回線を停止させずに被測定装置１の送受信レベルを測定する方法について、図３（ａ）および図４（ａ）を参照して説明する。
送信レベルを測定する場合には、図３（ａ）に示すように、送信側Ｕリンク８０を被測定装置１に装着したままの状態で、作業員は、第１乃至第３の連動スイッチ４１〜４３をオフにするとともに第４の連動スイッチ４４をオンにし、入力インピーダンスをハイ（Ｈｉｇｈ）にしたレベル計５にレベル測定コード１０の第３の２極プラグ６３を右側面に記された数字“３”および右側面に形成された３本の溝で左右を確認しながら差し込んだのち、右側面に記された文字“上”および“下”で上下を確認しながらレベル測定コード１０の４極プラグ２０の第１および第２の装置側差込片２２D1，２２D2を送信側Ｕリンク８０の第１および第２の送信側差込口８３1，８３2にそれぞれ差し込むことにより、同図に太線で示すように被測定装置１→第３の接続線３３→第４の連動スイッチ４４の第１のスイッチ４４ａ→第３のコード部５３の第１のコード接続線５３1→レベル計５→第３のコード部５３の第２のコード接続線５３2→第４の連動スイッチ４４の第２のスイッチ４４ｂ→第４の接続線３４→被測定装置１という電流経路を形成して被測定装置１とレベル計５とを電気的に接続してレベル測定を行う。
【００２６】
受信レベルを測定する場合には、図４（ａ）に示すように、受信側Ｕリンク９０を被測定装置１に装着したままの状態で、作業員は、第１の連動スイッチ４１をオンにするとともに第２乃至第４の連動スイッチ４２〜４４をオフにし、入力インピーダンスをハイ（Ｈｉｇｈ）にしたレベル計５にレベル測定コード１０の第１の２極プラグ６１を右側面に記された数字“１”および右側面に形成された３本の溝で左右を確認しながら差し込んだのち、右側面に記された文字“上”および“下”で上下を確認しながらレベル測定コード１０の４極プラグ２０の第１および第２の回線側差込片２２L1，２２L2を受信側Ｕリンク９０の第１および第２の受信側差込口９３1，９３2にそれぞれ差し込むことにより、同図に太線で示すように被測定装置１→第１の接続線３１→第１の連動スイッチ４１の第１のスイッチ４１ａ→第１のコード部５１の第１のコード接続線５１1→レベル計５→第１のコード部５１の第２のコード接続線５１2→第１の連動スイッチ４１の第２のスイッチ４１ｂ→第２の接続線３２→被測定装置１という電流経路を形成して被測定装置１とレベル計５とを電気的に接続してレベル測定を行う。
【００２７】
次に、本実施例によるレベル測定コード１０を用いて回線を停止させて被測定装置１の送受信レベルを測定する方法について、図３（ｂ）および図４（ｂ）を参照して説明する。
送信レベルを測定する場合には、図３（ｂ）に示すように、作業員は、送信側Ｕリンク８０を被測定装置１から引き抜き、第１乃至第３の連動スイッチ４１〜４３をオフにするとともに第４の連動スイッチ４４をオンにし、入力インピーダンスをロウ（Ｌｏｗ）にしたレベル計５にレベル測定コード１０の第３の２極プラグ６３を右側面に記された数字“３”および右側面に形成された３本の溝で左右を確認しながら差し込んだのち、右側面に記された文字“上”および“下”で上下を確認しながらレベル測定コード１０の４極プラグ２０を被測定装置１の送信側ソケット部に差し込んで第１および第２の装置側差込片２２D1，２２D2を第１および第２の送信装置側差込口２D1，２D2にそれぞれ差し込むことにより、同図に太線で示すように被測定装置１→第３の接続線３３→第４の連動スイッチ４４の第１のスイッチ４４ａ→第３のコード部５３の第１のコード接続線５３1→レベル計５→第３のコード部５３の第２のコード接続線５３2→第４の連動スイッチ４４の第２のスイッチ４４ｂ→第４の接続線３４→被測定装置１という電流経路を形成して被測定装置１とレベル計５とを電気的に接続してレベル測定を行う。
送信レベルの測定を終了すると、作業員は、レベル測定コード１０の４極プラグ２０を被測定装置１の送信側ソケット部から引き抜いたのち、送信側Ｕリンク８０を被測定装置１に再度装着する。
【００２８】
なお、一旦回線を停止させた状態で送信レベルを測定する場合には、作業員は、送信側Ｕリンク８０を被測定装置１から引き抜き、第１乃至第４の連動スイッチ４１〜４４をすべてオンにし、入力インピーダンスをハイにしたレベル計５にレベル測定コード１０の第１乃至第３の２極プラグ６１〜６３のいずれかを差し込んだのち、レベル測定コード１０の４極プラグ２０を被測定装置１の送信側ソケット部に差し込んで第１および第２の回線側差込片２２L1，２２L2並びに第１および第２の装置側差込片２２D1，２２D2を第１および第２の送信回線側差込口２L1，２L2並びに第１および第２の送信装置側差込口２D1，２D2にそれぞれ差し込んで回線を活かした状態でレベル測定してもよい。
【００２９】
受信レベルを測定する場合には、図４（ｂ）に示すように、作業員は、受信側Ｕリンク９０を被測定装置１から引き抜き、第１の連動スイッチ４１をオンにするとともに第２乃至第４の連動スイッチ４２〜４４をオフにし、入力インピーダンスをロウ（Ｌｏｗ）にしたレベル計５にレベル測定コード１０の第１の２極プラグ６１を右側面に記された数字“１”および右側面に形成された３本の溝で左右を確認しながら差し込んだのち、右側面に記された文字“上”および“下”で上下を確認しながらレベル測定コード１０の４極プラグ２０を被測定装置１の受信側ソケット部に差し込んで第１および第２の回線側差込片２２L1，２２L2を第１および第２の受信回線側差込口３L1，３L2にそれぞれ差し込むことにより、同図に太線で示すように被測定装置１→第１の接続線３１→第１の連動スイッチ４１の第１のスイッチ４１ａ→第１のコード部５１の第１のコード接続線５１1→レベル計５→第１のコード部５１の第２のコード接続線５１2→第１の連動スイッチ４１の第２のスイッチ４１ｂ→第２の接続線３２→被測定装置１という電流経路を形成して被測定装置１とレベル計５とを電気的に接続してレベル測定を行う。
受信レベルの測定を終了すると、作業員は、レベル測定コード１０の４極プラグ２０を被測定装置１の受信側ソケット部から引き抜いたのち、受信側Ｕリンク９０を被測定装置１に再度装着する。
【００３０】
なお、一旦回線を停止させた状態で受信レベルを測定する場合には、作業員は、受信側Ｕリンク９０を被測定装置１から引き抜き、第１乃至第４の連動スイッチ４１〜４４をすべてオンにし、入力インピーダンスをハイにしたレベル計５にレベル測定コード１０の第１乃至第３の２極プラグ６１〜６３のいずれかを差し込んだ状態で、レベル測定コード１０の４極プラグ２０を被測定装置１の受信側ソケット部に差し込んで第１および第２の回線側差込片２２L1，２２L2並びに第１および第２の装置側差込片２２D1，２２D2を第１および第２の受信回線側差込口３L1，３L2並びに第１および第２の受信装置側差込口３D1，３D2にそれぞれ差し込んで回線を活かした状態でレベル測定してもよい。
【００３１】
次に、本実施例によるレベル測定コード１０を用いて被測定装置１の受信回線断マージンを測定する方法について、図５を参照して説明する。
作業員は、受信側Ｕリンク９０を被測定装置１から引き抜き、第１、第３および第４の連動スイッチ４１，４３，４４をオンにするとともに第２の連動スイッチ４２をオフにし、減衰量が０ｄＢとされた可変抵抗減衰器４の入力回路端子および出力回路端子にレベル測定コード１０の第１および第２の２極プラグ６１，６２を右側面に記された数字“１”，“２”および右側面に形成された３本の溝で左右を確認しながら差し込むとともに入力インピーダンスをハイ（Ｈｉｇｈ）にしたレベル計５にレベル測定コード１０の第３の２極プラグ６３を右側面に記された数字“３”および右側面に形成された３本の溝で左右を確認しながら差し込んだのち、右側面に記された文字“上”および“下”で上下を確認しながらレベル測定コード１０の４極プラグ２０を被測定装置１の受信側ソケット部に差し込んで第１および第２の回線側差込片２２L1，２２L2並びに第１および第２の装置側差込片２２D1，２２D2を第１および第２の受信回線側差込口３L1，３L2並びに第１および第２の受信装置側差込口３D1，３D2にそれぞれ差し込むことにより、同図に太線で示すように被測定装置１→第１の接続線３１→第１の連動スイッチ４１の第１のスイッチ４１ａ→第１のコード部５１の第１のコード接続線５１1→可変抵抗減衰器４の入力回路→可変抵抗減衰器４の出力回路→第２のコード部５２の第１のコード接続線５２1→第３の連動スイッチ４３の第１のスイッチ４３ａ→第３のコード部５３の第１のコード接続線５３1→レベル計５および第４の連動スイッチ４４の第１のスイッチ４４ａ→第３の接続線３３→被測定装置１という電流経路と、被測定装置１→第２の接続線３２→第１の連動スイッチ４１の第２のスイッチ４１ｂ→第１のコード部５１の第２のコード接続線５１2→可変抵抗減衰器４の入力回路→可変抵抗減衰器４の出力回路→第２のコード部５２の第２のコード接続線５２2→第３の連動スイッチ４３の第２のスイッチ４３ｂ→第３のコード部５３の第２のコード接続線５３2→レベル計５および第４の連動スイッチ４４の第２のスイッチ４４ｂ→第４の接続線３４→被測定装置１という電流経路とを形成して被測定装置１と可変抵抗減衰器４およびレベル計５とを電気的に接続したのち、可変抵抗減衰器４の可変抵抗挿入により見かけ上の受信レベルを徐々に下げていって回線断となるレベルを検出し、このときのレベルをレベル計５で測定する。
受信回線断マージンの測定を終了すると、作業員は、レベル測定コード１０の４極プラグ２０を被測定装置１の受信側ソケット部から引き抜いたのち、受信側Ｕリンク９０を被測定装置１に再度装着する。
【００３２】
次に、本実施例によるレベル測定コード１０を２本用いて被測定装置１の対向試験を行う方法について、図６を参照して説明する。
被測定装置１が遠隔監視制御装置（ＴＣ）であるときにＴＣ試験器などの試験器８を被測定装置１に接続して対向試験などを行う場合には、図６に示すように、作業員は、送信側および受信側Ｕリンク８０，９０を被測定装置１から引き抜き、２本のレベル測定コード１０のうちの１本（同図図示上側のレベル測定コード１０）の第１および第３の連動スイッチ４１，４３をオンにするとともに第２および第４の連動スイッチ４２，４４をオフにし、減衰量が０ｄＢとされた可変抵抗減衰器４の出力回路端子および入力回路端子にこのレベル測定コード１０の第１および第２の２極プラグ６１，６２を差し込むとともに第３の２極プラグ６３を試験器８の第１および第２の送信装置側差込口にそれぞれ差し込み、２本のレベル測定コード１０のうちの他の１本（同図図示下側のレベル測定コード１０。以下、「他のレベル測定コード１０」と称する。）の第１および第３の連動スイッチ４１，４３をオンにするとともに第２および第４の連動スイッチ４２，４４をオフにし、減衰量が０ｄＢとされた可変抵抗減衰器４（以下、「他の可変抵抗減衰器４」と称する。）の入力回路端子および出力回路端子に他のレベル測定コード１０の第１および第２の２極プラグ６１，６２を差し込むとともに第３の２極プラグ６３を試験器８の第１および第２の受信装置側差込口にそれぞれ差し込んだのち、レベル測定コード１０の４極プラグ２０を被測定装置１の送信側ソケット部に差し込むとともに他のレベル測定コード１０の４極プラグ２０を被測定装置１の受信側ソケット部に差し込むことにより、同図に太線矢印で示すように、試験器８の第１および第２の送信装置側差込口→レベル測定コード１０の第３の２極プラグ６３→レベル測定コード１０の第３の連動スイッチ４３→レベル測定コード１０の第２の２極プラグ６２→可変抵抗減衰器４→レベル測定コード１０の第１の２極プラグ６１→レベル測定コード１０の第１の連動スイッチ４１→レベル測定コード１０の４極プラグ２０→被測定装置１の第１および第２の送信回線側差込口２L1，２L2という信号経路と、被測定装置１の第１および第２の受信回線側差込口３L1，３L2→他のレベル測定コード１０の４極プラグ２０→他のレベル測定コード１０の第１の連動スイッチ４１→他のレベル測定コード１０の第１の２極プラグ６１→他の可変抵抗減衰器４→他のレベル測定コード１０の第２の２極プラグ６２→他のレベル測定コード１０の第３の連動スイッチ４３→他のレベル測定コード１０の第３の２極プラグ６３→試験器８の第１および第２の受信装置側差込口という信号経路とを形成して、可変抵抗減衰器４および他の可変抵抗減衰器４によってレベル調整しながら対向試験などを行う。
対向試験などを終了すると、作業員は、レベル測定コード１０の４極プラグ２０および他のレベル測定コード１０の４極プラグ２０を被測定装置１の送信側および受信側ソケット部から引き抜いたのち、送信側Ｕリンク８０および受信側Ｕリンク９０を被測定装置１に再度装着する。
【００３３】
以上の説明では、レベル測定コード１０のスイッチ部４０は第１乃至第４の連動スイッチ４１〜４４の４個の連動スイッチを備えたが、被測定装置１の送受信レベルおよび受信回線断マージンを測定するためにのみ用いる場合には、第１乃至第３の連動スイッチ４１〜４３の３個の連動スイッチを備えるだけでもよい。
【符号の説明】
【００３４】
１  装置
２L1，２L2  第１および第２の送信回線側差込口
２D1，２D2  第１および第２の送信装置側差込口
３L1，３L2  第１および第２の受信回線側差込口
３D1，３D2  第１および第２の受信装置側差込口
４  可変抵抗減衰器
５  レベル計
６  測定コード
６1〜６3  第１乃至第３の測定コード
７1，７2，７11，７12，７21，７22  第１および第２の差込片
８  試験器
１０  レベル測定コード
２０  ４極プラグ
２１  プラグ筺体
２２L1，２２L2  第１および第２の回線側差込片
２２D1，２２D2  第１および第２の装置側差込片
３０  装置側接続コード部
３１〜３４  第１乃至第４の接続線
４０  スイッチ部
４１〜４４  第１乃至第４の連動スイッチ
４１ａ〜４４ａ，４１ｂ〜４４ｂ  第１および第２のスイッチ
４５  スイッチ筺体
５１〜５３  第１乃至第３のコード部
５１1，５１2，５２1，５２2，５３1，５３2  第１および第２のコード接続線
６１〜６３  第１乃至第３の２極プラグ
８０  送信側Ｕリンク
８１  送信側本体
８２L1，８２L2  第１および第２の送信回線側差込片
８２D1，８２D2  第１および第２の送信装置側差込片
８３1，８３2  第１および第２の送信側差込口
８４1，８４2  第１および第２の送信側差込受片
９０  受信側Ｕリンク
９１  受信側本体
９２L1，９２L2  第１および第２の受信回線側差込片
９２D1，９２D2  第１および第２の受信装置側差込片
９３1，９３2  第１および第２の受信側差込口
９４1，９４2  第１および第２の受信側差込受片
【図１】
2014099307.tif 000003
【図２】
2014099307.tif 000004
【図３】
2014099307.tif 000005
【図４】
2014099307.tif 000006
【図５】
2014099307.tif 000007
【図６】
2014099307.tif 000008
【図７】
2014099307.tif 000009
【図８】
2014099307.tif 000010
【図９】
2014099307.tif 000011